(57)【要約】【課題】鋭角状の角や隅でも確実に清掃ができ、家電製品等の表面に接触して傷つける恐れがなく、清掃時等にて手に対する負担の度合が少ない組合せブラシを提供する。【解決手段】第１ハウジング１Ａと第１ブラシ２とを係合可能に設け、第２ハウジング３と第２ブラシ４とを一体的に設け、第１ハウジング１Ａおよび第２ハウジング３を同一の中心点４７にて回動可能に設け、第１ハウジング１Ａと係合した第１ブラシ２を内円寄りに配置し、第２ブラシ４を外円寄りに配置し、第１ブラシ２の基台９の外円側１０に立毛群１１を配置し、第２ブラシ４の基台１３の内円側１４に立毛群１５を配置し、第１ブラシ２の立毛群１１と第２ブラシ４の立毛群１５とを当接可能に配置し、塵埃が付着した第１ブラシ２を第１ハウジング１Ａと係合し、回動させることにより、第１ブラシ２に付着した塵埃を除去し、塵埃を除去した第１ブラシ２を第１ハウジング１Ａより取り外しできる。【選択図】図１
2011092603.tif 000002
【特許請求の範囲】
【請求項１】
第１ハウジングと第１ブラシとを勘合可能に設け、第２ハウジングと第２ブラシとを一体的に設け、第１ハウジングおよび第２ハウジングを同一の中心点にて回動可能に設け、第１ハウジングと勘合した第１ブラシを内円寄りに配置し、第２ブラシを外円寄りに配置し、第１ブラシの基台の外円側に立毛群を配置し、第２ブラシの基台の内円側に立毛群を配置し、あるいは、第１ハウジングと勘合した第１ブラシを外円寄りに配置し、第２ブラシを内円寄りに配置し、第１ブラシの基台の内円側に立毛群を配置し、第２ブラシの基台の外円側に立毛群を配置し、第１ブラシの立毛群と第２ブラシの立毛群とを当接可能に配置し、塵埃が付着した第１ブラシを第１ハウジングと勘合し、回動させることにより、第１ブラシの立毛群に当接する第２ブラシの立毛群により第１ブラシに付着した塵埃を除去し、塵埃を除去した第１ブラシを第１ハウジングより取り外しできることを特徴とする組合せブラシ。
【請求項２】
請求項１に記載の組合せブラシにおいて、前記勘合、に代えて、係合、としたことを特徴とする請求項１に記載の組合せブラシ。
【請求項３】
第２ブラシを第１ブラシに押圧するバネを設けたことを特徴とする請求項１〜２に記載の組合せブラシ。
【請求項４】
前記第１ブラシの立毛群または前記第２ブラシの立毛群において、パイル群、としたことを特徴とする請求項１〜３に記載の組合せブラシ。
【請求項５】
前記第１ブラシの立毛群または前記第２ブラシの立毛群において、ブリッスル群、としたことを特徴とする請求項１〜４に記載の組合せブラシ。
【請求項６】
前記第１ブラシまたは前記第２ブラシにおいて、取っ手を設けた、ことを特徴とする請求項１〜５に記載の組合せブラシ。
【請求項７】
開口部を有する外ケースを設け、前記外円寄りに配置した第２ハウジングを外ケースの内側に一体的に設け、あるいは、前記外円寄りに配置した第１ハウジングを外ケースの内側に一体的に設け、塵埃が付着した第１ブラシを外ケース内に開口部から挿入して第１ハウジングと勘合あるいは係合し、外ケース内で回動させることにより、第１ブラシの立毛群に当接する第２ブラシの立毛群により第１ブラシに付着した塵埃を除去し、除去した塵埃を外ケース内に集塵し、開口部より塵埃の取り出しができることを特徴とする請求項１〜６に記載の組合せブラシ。
【請求項８】
前記第１ブラシの基台の外円側に立毛群を配置し、前記第２ブラシの基台の内円側に立毛群を配置し、に代えて、略半円形状に設けた第１ブラシの基台の外円側および該第１ブラシの基台の外円側に設けた該形状の立毛群を配置し、該形状に設けた第２ブラシの基台の内円側および該第２ブラシの基台の内円側に設けた該形状の立毛群を配置し、あるいは、前記第１ブラシの基台の内円側に立毛群を配置し、前記第２ブラシの基台の外円側に立毛群を配置し、に代えて、該形状に設けた第１ブラシの基台の内円側および該第１ブラシの基台の内円側に設けた該形状の立毛群を配置し、該形状に設けた第２ブラシの基台の外円側および該第２ブラシの基台の外円側に設けた該形状の立毛群を配置し、としたことを特徴とする請求項１〜７に記載の組合せブラシ。
【発明の詳細な説明】
【技術分野】
【０００１】
本発明は、第１ブラシに付着した塵埃、羽毛、髪の毛等を、第１ブラシと第２ブラシを組合せることにより、第２ブラシで除去する手段を有した組合せブラシに関する。
【背景技術】
【０００２】
一般に、ブラシに付着した塵埃、羽毛等を別のブラシで除去するため、２つのブラシを組合せて、ブラシ同士を適宜摺動させることで、一方のブラシについた塵埃を除去する組合せブラシが提供されている。以下、具体的に記す。内部が空洞状とされ上方に屑排出口と下方に露出窓とを備えたハウジングと、該ハウジングの露出窓に一面を露出させて軸によって回転自在に収容された円筒状のブラシ本体と、ハウジングの前記屑排出口を覆う蓋体と、ハウジングの外部に配置され前記軸と連結されたブラシ本体回転操作体とからなり、ブラシ本体は断面形状がＣの字又はＵの字状とされ、その内部が塵埃を貯留する開口部を有する空洞に形成され、その表面が軸線方向に沿ってほぼ均等に左右に区分された二つの表面に毛羽先を互いに離れる方向に傾斜させて逆向きに植毛させた二つのブラシ面を備え、前記ハウジングは、露出窓の両側壁の内面に、前記ブラシ面と接触しブラシ面がハウジングの内部から露出窓側に移行するときブラシ面に付着した塵埃をハウジング内に残す塵埃除去ブラシを備え、前記蓋体は、ハウジングに対してヒンジ部で開閉自在に枢着されその対向部にロック部を備えている衣服用ブラシ（特許文献１参照）がある。次に、他のものについて記す。外ケースは、内部が集塵室とされる内筒を回動可能に保持する本体部と、その本体部の基端に設けられている柄とを備えており、内筒は、上方に開口した略半円形状断面の略筒状に形成されており、内筒の外周面には、周方向中央分岐線を境としてそれぞれ、先端を内筒の開口端部側に向けて傾斜した短いパイル群が設けられており、外ケース本体部は、上下に開口して形成されており、外ケース本体部の上部開口には、透明の蓋が開閉可能に設けられており、この蓋は、バネによって開く方向に付勢されると共に、外ケースと係合されて閉鎖可能とされており、外ケース本体部の左右両側壁の内側には、先端を外ケース本体部の内側へ向けて傾斜した短いパイル群が設けられており、外ケース本体部の下部開口から内筒の傾斜したパイル群が露出され、且つ外ケース本体部の傾斜パイル群に内筒の傾斜パイル群が接触可能に、外ケース本体部内に内筒が回動可能に保持され、内筒は、外ケースの外方に突出されたツマミの操作によって回動操作可能とされ、内部の上部開口が外ケース本体部の上部開口と対応する位置とされた状態でツマミを操作することで、蓋は外ケースとの係合を解除されて開かれることを特徴とする洋服ブラシ（特許文献２参照）がある。
【特許文献１】特願２０００−７３２７３
【特許文献２】特願２００１−７１９２
【発明の開示】
【発明が解決しようとする課題】
【０００３】
前記従来例の特許文献１および特許文献２については、衣類または洋服に限定しており、洋服等以外では使用が難しいという問題がある。本発明は、前記問題を解消し、洋服等以外の使用が可能な組合せブラシを提供することを目的とする。
【０００４】
特許文献１または特許文献２のブラシを使用して、パソコン、プリンタ、テレビ等の家電製品等に付着した塵埃をブラシで除去しようとすることを検討する。特許文献１については、ブラシ面を毛羽にしており、特許文献２については、ブラシ面をパイル群に加工してあるため、この場合、ブラシ面だけを取り替えて使用することとする。取り替えるブラシ面は用途に応じたブラシ面とする。なお、特許文献１については、ハウジングに回転自在にブラシが収容され、特許文献２については、パイル群（ブラシ）の露出した回動可能な内筒を外ケースが備えている。家電製品等のデザインによっては、角や隅において、隣接した面同士の間の角度が鋭角状の部位がある。その場合、特許文献１のブラシにおいてはハウジング、特許文献２のブラシにおいては外ケースが障害となり、家電製品等にブラシ面を接触させて清掃しようとしても、家電製品等の角や隅が鋭角状であるためブラシ面が届きにくいので接触できず、清掃がやりにくいという問題がある。また、特許文献１のハウジングまたは特許文献２の外ケースが、ブラシ面に近い位置に各々あることから、家電製品等に付着した塵埃をブラシで除去しようとする時に、鋭角状の角や隅に限らず家電製品等の表面にそれらが接触しやすく、あるいは、ハウジングまたは外ケースが合成樹脂等で製作されているので、家電製品等に接触した場合には傷つけてしまう恐れがあり、特に、パソコン、テレビ等の液晶画面等に接触した場合には損傷が少なくないという問題がある。また、それらの問題を解決するため、ハウジングまたは外ケースの形状を変更しようと試みても構造的に容易ではないという問題がある。さらに、コンパクトにブラシをすることが構造的に容易ではなく、よって、重さも増加するので、通常のブラシに比べて、清掃時等にて手に対する負担が大きくなるという問題がある。本発明は、ブラシに付着した塵埃、羽毛等を別のブラシで除去するため、２つのブラシを組合せて、ブラシ同士を適宜摺動させることで、一方のブラシについた塵埃を除去する組合せブラシの機能を有したまま、前記問題を解消し、鋭角状の角や隅でも清掃が確実にでき、家電製品等の表面に接触して傷つける恐れがなく、清掃時等にて手に対する負担の度合を少なくすることができる組合せブラシを提供することを目的とする。
【０００５】
同様に、特許文献１または特許文献２のブラシを使用して、ヘアブラシまたは歯ブラシ等として使用することを検討する。この場合、ブラシ面だけを取り替えて使用することとする。取り替えるブラシ面は用途に応じたブラシ面とする。その場合、特許文献１のブラシにおいてはハウジング、特許文献２のブラシにおいては外ケースが障害となり、髪や歯にブラシ面を接触させようとしてもブラシ面が届きにくいので接触できず、整髪、清掃等がやりにくいという問題がある。本発明は、前記問題を解消し、髪や歯でも整髪、清掃等が確実にできる組合せブラシを提供することを目的とする。
【課題を解決するための手段】
【０００６】
本発明によると上記課題は、次のようにして解決される。
（１）第１ハウジングと第１ブラシとを勘合可能に設け、第２ハウジングと第２ブラシとを一体的に設け、第１ハウジングおよび第２ハウジングを同一の中心点にて回動可能に設け、第１ハウジングと勘合した第１ブラシを内円寄りに配置し、第２ブラシを外円寄りに配置し、第１ブラシの基台の外円側に立毛群を配置し、第２ブラシの基台の内円側に立毛群を配置し、あるいは、第１ハウジングと勘合した第１ブラシを外円寄りに配置し、第２ブラシを内円寄りに配置し、第１ブラシの基台の内円側に立毛群を配置し、第２ブラシの基台の外円側に立毛群を配置し、第１ブラシの立毛群と第２ブラシの立毛群とを当接可能に配置し、塵埃が付着した第１ブラシを第１ハウジングと勘合し、回動させることにより、第１ブラシの立毛群に当接する第２ブラシの立毛群により第１ブラシに付着した塵埃を除去し、塵埃を除去した第１ブラシを第１ハウジングより取り外しできることを特徴とする組合せブラシとする。
【０００７】
（２）上記（１）項に記載の組合せブラシにおいて、前記勘合、に代えて、係合、としたことを特徴とする組合せブラシとする。
【０００８】
（３）上記（１）〜（２）項に記載の組合せブラシにおいて、第２ブラシを第１ブラシに押圧するバネを設けたことを特徴とする組合せブラシとする。
【０００９】
（４）上記（１）〜（３）項に記載の組合せブラシにおいて、前記第１ブラシの立毛群または前記第２ブラシの立毛群において、パイル群、としたことを特徴とする組合せブラシとする。
【００１０】
（５）上記（１）〜（４）項に記載の組合せブラシにおいて、前記第１ブラシの立毛群または前記第２ブラシの立毛群において、ブリッスル群、としたことを特徴とする組合せブラシとする。
【００１１】
（６）上記（１）〜（５）項に記載の組合せブラシにおいて、前記第１ブラシまたは前記第２ブラシにおいて、取っ手を設けた、ことを特徴とする組合せブラシとする。
【００１２】
（７）上記（１）〜（６）項に記載の組合せブラシにおいて、開口部を有する外ケースを設け、前記外円寄りに配置した第２ハウジングを外ケースの内側に一体的に設け、あるいは、前記外円寄りに配置した第１ハウジングを外ケースの内側に一体的に設け、塵埃が付着した第１ブラシを外ケース内に開口部から挿入して第１ハウジングと勘合あるいは係合し、外ケース内で回動させることにより、第１ブラシの立毛群に当接する第２ブラシの立毛群により第１ブラシに付着した塵埃を除去し、除去した塵埃を外ケース内に集塵し、開口部より塵埃の取り出しができることを特徴とする組合せブラシとする。
【００１３】
（８）上記（１）〜（７）項に記載の組合せブラシにおいて、前記第１ブラシの基台の外円側に立毛群を配置し、前記第２ブラシの基台の内円側に立毛群を配置し、に代えて、略半円形状に設けた第１ブラシの基台の外円側および該第１ブラシの基台の外円側に設けた該形状の立毛群を配置し、該形状に設けた第２ブラシの基台の内円側および該第２ブラシの基台の内円側に設けた該形状の立毛群を配置し、あるいは、前記第１ブラシの基台の内円側に立毛群を配置し、前記第２ブラシの基台の外円側に立毛群を配置し、に代えて、該形状に設けた第１ブラシの基台の内円側および該第１ブラシの基台の内円側に設けた該形状の立毛群を配置し、該形状に設けた第２ブラシの基台の外円側および該第２ブラシの基台の外円側に設けた該形状の立毛群を配置し、としたことを特徴とする組合せブラシとする。
【発明の効果】
【００１４】
本発明によれば、次のような効果を奏する。
（１）本発明の請求項１、８記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。
【００１５】
（２）本発明の請求項２記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。さらに、使用したブラシに付着した塵埃を除去する場合の操作性が向上し、塵埃の除去が一層、容易になる。
【００１６】
（３）本発明の請求項３記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。さらに、押圧する力が高まるので、使用したブラシに付着した塵埃が除去しづらいものであっても比較的除去しやすく、使用したブラシに付着した塵埃を除去することが一層、確実になる。
【００１７】
（４）本発明の請求項４記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。さらに、使用したブラシに付着した細かい塵埃を除去することが、より確実にできる。
【００１８】
（５）本発明の請求項５記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。さらに、使用したブラシに付着した毛髪などの線状の塵埃を除去することが、より確実にできる。
【００１９】
（６）本発明の請求項６記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。さらに、手等で握りやすく、使用したブラシに付着した塵埃を除去する作業の操作性が向上する。
【００２０】
（７）本発明の請求項７記載の発明によれば、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。さらに、除去した塵埃が外へ散乱することがなく、よって、散乱して塵埃が目等に入ることがなく安全性が増し、また、除去した塵埃を集塵することが可能となり、塵埃の処理が容易となる。
【発明を実施するための最良の形態】
【００２１】
以下に、添付図面に基づいて本発明の実施の形態について詳細に説明するが、本発明の範囲は、以下に説明される実施の形態に限定されるものではない。本発明の一実施形態である、実施例アである、組合せブラシ（２０ｖ）について記す。図２４〜２６、３１にて、第１ハウジング（１ｖ）（１Ａｖ）と第１ブラシ（２ｖ）とを勘合可能に設けてある。第２ハウジング（３ｖ）と第２ブラシ（４ｖ）とを一体的に設けてある。第１ハウジング（１ｖ）（１Ａｖ）および第２ハウジング（３ｖ）を同一の中心点（４７ｖ）にて回動可能に設けてある。回動して描く任意のひとつの円（５ｖ）上にて、次のようにしてある。第１ハウジング（１ｖ）（１Ａｖ）と勘合した第１ブラシ（２ｖ）を内円寄り（６ｖ矢印）に配置し、第２ブラシ（４ｖ）を外円寄り（７ｖ矢印）に配置してある。第１ブラシ（２ｖ）の基台（９ｖ）の外円側（１０ｖ）に立毛群（１１ｖ）を配置してある。第２ブラシ（４ｖ）の基台（１３ｖ）の内円側（１４ｖ）に立毛群（１５ｖ）を配置してある。第１ブラシ（２ｖ）の立毛群（１１ｖ）と第２ブラシ（４ｖ）の立毛群（１５ｖ）とを当接可能に配置してある。塵埃が付着した第１ブラシ（２ｖ）を第１ハウジング（１ｖ）（１Ａｖ）と勘合し、回動させることにより、第１ブラシ（２ｖ）の立毛群（１１ｖ）に当接する第２ブラシ（４ｖ）の立毛群（１５ｖ）により第１ブラシ（２ｖ）に付着した塵埃を除去し、塵埃を除去した第１ブラシ（２ｖ）を第１ハウジング（１ｖ）（１Ａｖ）より取り外しできる。また、次のようにしてある。第１ハウジング（１ｖ）（１Ａｖ）と第１ブラシ（２ｖ）とを勘合可能に設け、について、第１ハウジング（１ｖ）（１Ａｖ）に配置した案内凸部（３１ｖ）（３１Ａｖ）と第１ブラシ（２ｖ）に配置した案内凹部（３２ｖ）（３２Ａｖ）とを勘合可能に設け、としてある。言い換えると、第１ハウジング（１ｖ）（１Ａｖ）に案内凸部（３１ｖ）（３１Ａｖ）を設けてある。第１ブラシ（２ｖ）に案内凹部（３２ｖ）（３２Ａｖ）を設けてある。つまり、第１ブラシ（２ｖ）の基台（９ｖ）に案内凹部（３２ｖ）（３２Ａｖ）を設けてある。案内凹部（３２ｖ）（３２Ａｖ）と案内凸部（３１ｖ）（３１Ａｖ）とを勘合可能に設けてある。この場合、レール状としてある。レール状の凹凸で勘合してある。なお、作用は実施例１である、組合せブラシ（２０）に準じる。実施例アである、組合せブラシ（２０ｖ）によれば、ブラシに付着した塵埃、羽毛等を別のブラシで除去するため、２つのブラシを組合せて、ブラシ同士を適宜摺動させることで、一方のブラシについた塵埃を除去する組合せブラシの機能を有したまま、下記の効果を生じる。第１ブラシ（２ｖ）を第１ハウジング（１ｖ）（１Ａｖ）より取り外しできるので、障害となるものがなく、家電製品等にブラシ面を接触させて清掃しようとしても、家電製品等の角や隅にブラシ面が届きにくいので接触できず、清掃がやりにくいということがない。また、第１ブラシ（２ｖ）を第１ハウジング（１ｖ）（１Ａｖ）より取り外しできるので、障害となるものがなく、家電製品等に付着した塵埃をブラシで除去しようとする時に、第２ハウジング（３ｖ）が、鋭角状の角や隅に限らず家電製品等の表面に接触し、家電製品等に接触した場合に傷つけてしまうということがない。さらに、ハウジングを取り外しできるまたは外ケースがないので、重さも増加せず、清掃時等にて手に対する負担が少なくて済む。また、髪や歯にて整髪、清掃等を行う場合でも、ハウジングを取り外しできるまたは外ケースがないので、髪や歯にブラシ面を接触させようとしてもブラシ面が届きにくいので接触できず、整髪、清掃等がやりにくいということがない。つまり、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。
【００２２】
次に、本発明の一実施形態である、実施例１である、組合せブラシ（２０）について記す。実施例１である、組合せブラシ（２０）は、実施例アである、組合せブラシ（２０ｖ）において、前記勘合、に代えて、係合、としてある。つまり、詳細に記すと次のようになる。図１〜６にて、第１ハウジング（１）（１Ａ）と第１ブラシ（２）とを係合可能に設けてある。第２ハウジング（３）と第２ブラシ（４）とを一体的に設けてある。第１ハウジング（１）（１Ａ）および第２ハウジング（３）を回動可能に設けてある。つまり、第１ハウジング（１）（１Ａ）および第２ハウジング（３）を同一の中心点（４７）にて回動可能に設けてある。回動して描く任意のひとつの円（５）上にて、次のようにしてある。第１ハウジング（１）（１Ａ）と係合した第１ブラシ（２）を内円寄り（６矢印）に配置し、第２ブラシ（４）を外円寄り（７矢印）に配置してある。第１ブラシ（２）の基台（９）の外円側（１０）に立毛群（１１）を配置してある。第２ブラシ（４）の基台（１３）の内円側（１４）に立毛群（１５）を配置してある。第１ブラシ（２）の立毛群（１１）と第２ブラシ（４）の立毛群（１５）とを当接可能に配置してある。塵埃が付着した第１ブラシ（２）を第１ハウジング（１）（１Ａ）と係合し、回動させることにより、第１ブラシ（２）の立毛群（１１）に当接する第２ブラシ（４）の立毛群（１５）により第１ブラシ（２）に付着した塵埃を除去し、塵埃を除去した第１ブラシ（２）を第１ハウジング（１）（１Ａ）より取り外しできる。
【００２３】
また、次のようにしてある。実施例１である、組合せブラシ（２０）において、図１にて、略半円形状は、回動して描く任意のひとつの円（５）に沿う略半円形状としてある。略半円形状に設けた第１ブラシ（２）の基台（９）の外円側（１０）を配置してある。該第１ブラシ（２）の基台（９）の外円側（１０）に設けた該形状の立毛群（１１）を配置してある。該形状に設けた第２ブラシ（４）の基台（１３）の内円側（１４）を配置してある。該第２ブラシ（４）の基台（１３）の内円側（１４）に設けた該形状の立毛群（１５）を配置してある。図４〜５にて、第１ハウジング（１）（１Ａ）に案内凸部（３１）（３１Ａ）を設けてある。第１ブラシ（２）に案内凹部（３２）（３２Ａ）を設けてある。つまり、第１ブラシ（２）の基台（９）に案内凹部（３２）（３２Ａ）を設けてある。案内凹部（３２）（３２Ａ）と案内凸部（３１）（３１Ａ）とを勘合可能に設けてある。図５、７〜８にて、第１ハウジング（１）（１Ａ）と第１ブラシ（２）とを係合可能に設け、について、第１ハウジング（１）（１Ａ）に配置した係合雄部（３３）と第１ブラシ（２）に配置した係合雌部（３４）とを係合可能に設け、としてある。言い換えると、第１ハウジング（１）（１Ａ）に係合雄部（３３）を設けてある。第１ブラシ（２）に係合雌部（３４）を設けてある。つまり、第１ブラシ（２）の基台（９）に係合雌部（３４）を設けてある。係合雄部（３３）と係合雌部（３４）とを係合可能に設けてある。係合雌部（３４）には、押圧することにより係合を解除する押圧部（３５）が設けてある。
【００２４】
次に、実施例１である、組合せブラシ（２０）の作用について記す。図４〜５にて、案内凹部（３２）（３２Ａ）に案内凸部（３１）（３１Ａ）の位置をあわせて、第１ハウジング（１）（１Ａ）の上方より、塵埃が付着した第１ブラシ（２）を第１ハウジング（１）（１Ａ）に挿入する。案内凸部（３１）（３１Ａ）に沿って挿入した第１ブラシ（２）を、さらに下方に移動すると、係合雌部（３４）内に係合雄部（３３）が入り込み、係合雄部（３３）と係合雌部（３４）が係合する。次に、図１〜２にて、第２ブラシ（４）を回動させる。第２ブラシ（４）を時計回り（矢印Ｒ）に回動させることにより、第１ブラシ（２）の立毛群（１１）に当接する第２ブラシ（４）の立毛群（１５）により第１ブラシ（２）に付着した塵埃を除去する。なお、この場合、第２ブラシ（４）を反時計回りに回動させても同じである。また、同様に、図２〜３にて、第１ブラシ（２）を回動させてもよい。第１ブラシ（２）を時計回り（矢印Ｓ）に回動させることにより、第１ブラシ（２）の立毛群（１１）に当接する第２ブラシ（４）の立毛群（１５）により第１ブラシ（２）に付着した塵埃を除去する。なお、この場合も、第１ブラシ（２）を反時計回りに回動させても同じである。そして、塵埃を除去した第１ブラシ（２）を第１ハウジング（１）（１Ａ）より取り外す。図７〜８にて、取り外すには、押圧部（３５）を指等で押圧する。押圧すると係合雄部（３３）が押圧され係合を解除するので、押圧した状態で、第１ブラシ（２）を上方に移動することにより取り外しができる。実施例１である、組合せブラシ（２０）によれば、効果として、鋭角状の角や隅でも清掃が確実にでき、家電製品等の表面に接触して傷つける恐れがなく、清掃時等にて手に対する負担の度合を少なくすることができる。また、髪や歯でも整髪、清掃等が確実にできる。第１ハウジング（１）（１Ａ）と第１ブラシ（２）とを係合可能に設けてあるので、第１ハウジング（１）（１Ａ）から第１ブラシ（２）が脱落したりすることがないため、塵埃が付着した第１ブラシ（２）（使用したブラシ）において塵埃を除去する場合の操作性が向上し、塵埃の除去が一層、容易になる。
【００２５】
次に、本発明の一実施形態である、実施例２である、組合せブラシ（２０ａ）について記す。図９〜１１にて、第１ハウジング（１ａ）（１Ａａ）と第１ブラシ（２ａ）とを係合可能に設けてある。第２ハウジング（３ａ）と第２ブラシ（４ａ）とを一体的に設けてある。第１ハウジング（１ａ）（１Ａａ）および第２ハウジング（３ａ）を同一の中心点にて回動可能に設けてある。回動して描く任意のひとつの円（５ａ）上にて、次のようにしてある。第１ハウジング（１ａ）（１Ａａ）と係合した第１ブラシ（２ａ）を外円寄り（７ａ矢印）に配置し、第２ブラシ（４ａ）を内円寄り（６ａ矢印）に配置してある。第１ブラシ（２ａ）の基台（９ａ）の内円側（１６）に立毛群（１１ａ）を配置してある。第２ブラシ（４ａ）の基台（１３ａ）の外円側（１８）に立毛群（１５ａ）を配置してある。第１ブラシ（２ａ）の立毛群（１１ａ）と第２ブラシ（４ａ）の立毛群（１５ａ）とを当接可能に配置してある。塵埃が付着した第１ブラシ（２ａ）を第１ハウジング（１ａ）（１Ａａ）と係合し、回動させることにより、第１ブラシ（２ａ）の立毛群（１１ａ）に当接する第２ブラシ（４ａ）の立毛群（１５ａ）により第１ブラシ（２ａ）に付着した塵埃を除去し、塵埃を除去した第１ブラシ（２ａ）を第１ハウジング（１ａ）（１Ａａ）より取り外しできる。
【００２６】
また、次のようにしてある。実施例２である、組合せブラシ（２０ａ）において、図９にて、略半円形状は、回動して描く任意のひとつの円（５ａ）に沿う略半円形状としてある。略半円形状（８ａ）に設けた第１ブラシ（２ａ）の基台（９ａ）の内円側（１６）を配置してある。該第１ブラシ（２ａ）の基台（９ａ）の内円側（１６）に設けた該形状（８ａ）の立毛群（１１ａ）を配置してある。該形状（８ａ）に設けた第２ブラシ（４ａ）の基台（１３ａ）の外円側（１８）を配置してある。該第２ブラシ（４ａ）の基台（１３ａ）の外円側（１８）に設けた該形状（８ａ）の立毛群（１５ａ）を配置してある。
【００２７】
次に、実施例２である、組合せブラシ（２０ａ）の作用について記す。図９〜１０にて、第１ブラシ（２ａ）を回動させる。第１ブラシ（２ａ）を時計回り（矢印Ｓ１）に回動させることにより、第１ブラシ（２ａ）の立毛群（１１ａ）に当接する第２ブラシ（４ａ）の立毛群（１５ａ）により第１ブラシ（２ａ）に付着した塵埃を除去する。なお、この場合も、第１ブラシ（２ａ）を反時計回りに回動させても同じである。第２ブラシ（４ａ）を時計回りあるいは反時計回りに回動させてもよい。
【００２８】
また、次のようにしてもよい。特に図示しないが、実施例２である、組合せブラシ（２０ａ）は、前記係合、に代えて、勘合、としてもよい。実施例アである、組合せブラシ（２０ｖ）と同じようにしてもよい。
【００２９】
次に、本発明の一実施形態である、実施例３である、組合せブラシ（２０ｂ）について記す。実施例３である、組合せブラシ（２０ｂ）は、実施例１である、組合せブラシ（２０）にて次のようにしてある。図１２〜１３にて、第２ブラシ（４ｂ）を第１ブラシ（２ｂ）に押圧するバネ（１７）（１７Ａ）を設けた。実施例３である、組合せブラシ（２０ｂ）によれば、効果として、押圧するバネ（１７）（１７Ａ）を設けたことにより、第２ブラシ（４ｂ）を第１ブラシ（２ｂ）に押圧する力が高まるので、使用したブラシに付着した塵埃が除去しづらいものであっても比較的除去しやすく、使用したブラシに付着した塵埃を除去することが一層、確実になる。
【００３０】
また、実施例３である、組合せブラシ（２０ｂ）について、次のようにしてある。図１２〜１３にて、立毛群（１５ｂ）と基台（１３ｂ）の間に押圧するバネ（１７）（１７Ａ）を設けてある。ビス等で固定してある。また、次のようにしてもよい。実施例３である、組合せブラシ（２０ｂ）について、第２ブラシ（４ｂ）を第１ブラシ（２ｂ）に押圧するバネ（１７）（１７Ａ）を設けた、に代えて、第２ブラシ（４ｂ）を第１ブラシ（２ｂ）に押圧するバネ（１７）（１７Ａ）を第２ブラシ（４ｂ）の基台（１３ｂ）に設けた、としてもよい。また、特に図示しないが、第２ブラシ（４ｂ）を第１ブラシ（２ｂ）に押圧するバネ（１７）（１７Ａ）を設けた、に代えて、第２ブラシ（４ｂ）を第１ブラシ（２ｂ）に押圧するバネ（１７）（１７Ａ）を第２ブラシ（４ｂ）の基台（１３ｂ）の背面の第２ハウジングに設けた、としてもよい。
【００３１】
次に、本発明の一実施形態である、実施例４である、組合せブラシ（２０ｃ）について記す。実施例４である、組合せブラシ（２０ｃ）は、実施例１である、組合せブラシ（２０）にて次のようにしてある。図１にて、前記第１ブラシ（２）の立毛群（１１）において、パイル群（１９）（２１）、とした。前記第２ブラシ（４）の立毛群（１５）において、パイル群（１９）（２１）、とした。つまり、前記第１ブラシ（２）の立毛群（１１）と前記第２ブラシ（４）の立毛群（１５）において、パイル群（１９）（２１）、とした。短いパイル群（１９）（２１）、としてもよい。なお、立毛群（１１）は、スポンジ（２２）を介してパイル群（１９）とで構成してある。実施例４である、組合せブラシ（２０ｃ）によれば、効果として、パイル群（１９）（２１）とすることにより、第１ブラシ（使用したブラシ）に付着した細かい塵埃を除去することが、より確実にできる。
【００３２】
次に、本発明の一実施形態である、実施例５である、組合せブラシ（２０ｄ）について記す。実施例５である、組合せブラシ（２０ｄ）は、図１４にて、第１ハウジング（１ｄ）（１Ａｄ）と第１ブラシ（２ｄ）とを係合可能に設けてある。第２ハウジング（３ｄ）と第２ブラシ（４ｄ）とを一体的に設けてある。第１ハウジング（１ｄ）（１Ａｄ）および第２ハウジング（３ｄ）を同一の中心点にて回動可能に設けてある。回動して描く任意のひとつの円（５ｄ）上にて、次のようにしてある。第１ハウジング（１ｄ）（１Ａｄ）と係合した第１ブラシ（２ｄ）を内円寄り（６ｄ矢印）に配置し、第２ブラシ（４ｄ）を外円寄り（７ｄ矢印）に配置してある。第１ブラシ（２ｄ）の基台（９ｄ）の外円側（１０ｄ）に立毛群（１１ｄ）を配置してある。第２ブラシ（４ｄ）の基台（１３ｄ）の内円側（１４ｄ）に立毛群（１５ｄ）を配置してある。第１ブラシ（２ｄ）の立毛群（１１ｄ）と第２ブラシ（４ｄ）の立毛群（１５ｄ）とを当接可能に配置してある。塵埃が付着した第１ブラシ（２ｄ）を第１ハウジング（１ｄ）（１Ａｄ）と係合し、回動させることにより、第１ブラシ（２ｄ）の立毛群（１１ｄ）に当接する第２ブラシ（４ｄ）の立毛群（１５ｄ）により第１ブラシ（２ｄ）に付着した塵埃を除去し、塵埃を除去した第１ブラシ（２ｄ）を第１ハウジング（１ｄ）（１Ａｄ）より取り外しできる。また、次のようにしてある。略半円形状（８ｄ）に設けた第１ブラシ（２ｄ）の基台（９ｄ）の外円側（１０ｄ）を配置してある。該第１ブラシ（２ｄ）の基台（９ｄ）の外円側（１０ｄ）に設けた該形状（８ｄ）の立毛群（１１ｄ）を配置してある。該形状（８ｄ）に設けた第２ブラシ（４ｄ）の基台（１３ｄ）の内円側（１４ｄ）を配置してある。該第２ブラシ（４ｄ）の基台（１３ｄ）の内円側（１４ｄ）に設けた該形状（８ｄ）の立毛群（１５ｄ）を配置してある。また、次のようにしてある。前記第１ブラシ（２ｄ）の立毛群（１１ｄ）において、パイル群（１９ｄ）、とした。前記第２ブラシ（４ｄ）の立毛群（１５ｄ）において、パイル群（２１ｄ）、とした。
【００３３】
次に、本発明の一実施形態である、実施例６である、組合せブラシ（２０ｅ）について記す。実施例６である、組合せブラシ（２０ｅ）は、実施例２である、組合せブラシ（２０ａ）にて次のようにしてある。図１５にて、前記第１ブラシ（２ａ）の立毛群（１１ａ）において、ブリッスル群（２３）、とした。前記第２ブラシ（４ａ）の立毛群（１５ａ）において、ブリッスル群（２４）、とした。つまり、前記第１ブラシ（２ａ）の立毛群（１１ａ）と前記第２ブラシ（４ａ）の立毛群（１５ａ）において、ブリッスル群（２３）（２４）、とした。実施例６である、組合せブラシ（２０ｅ）によれば、効果として、ブリッスル群（２３）（２４）にすることにより、第１ブラシ（使用したブラシ）に付着した毛髪などの線状の塵埃を除去することが、より確実にできる。また、次のようにしてもよい。特に図示しないが、実施例４である、組合せブラシ（２０ｃ）を次のようにしてもよい。前記第１ブラシ（２）の立毛群（１１）において、ブリッスル群、とした。あるいは、前記第２ブラシ（４）の立毛群（１５）において、ブリッスル群、とした。同様に、実施例６である、組合せブラシ（２０ｅ）を次のようにしてもよい。前記第１ブラシ（２ａ）の立毛群（１１ａ）において、パイル群、とした。あるいは、前記第２ブラシ（４ａ）の立毛群（１５ａ）において、パイル群、とした。
【００３４】
次に、本発明の一実施形態である、実施例７である、組合せブラシ（２０ｆ）について記す。実施例７である、組合せブラシ（２０ｆ）は、実施例１である、組合せブラシ（２０）にて次のようにしてある。図１６にて、前記第１ブラシ（２）において、取っ手（２５）を設けた。回動するための取っ手（２５）を設けた。
【００３５】
次に、本発明の一実施形態である、実施例８である、組合せブラシ（２０ｈ）について記す。実施例８である、組合せブラシ（２０ｈ）は、実施例１である、組合せブラシ（２０）にて次のようにしてある。図１８にて、前記第２ブラシ（４）において、取っ手（２６）を設けた。回動するための取っ手（２６）を設けた。実施例７である、組合せブラシ（２０ｆ）および実施例８である、組合せブラシ（２０ｈ）によれば、効果として、取っ手（２６）を設けることにより、手等で握りやすく、第１ブラシ（使用したブラシ）に付着した塵埃を除去する作業の操作性が向上する。
【００３６】
次に、本発明の一実施形態である、実施例９である、組合せブラシ（２０ｊ）について記す。実施例９である、組合せブラシ（２０ｊ）は、実施例１である、組合せブラシ（２０）にて次のようにしてある。図１６〜１７にて、開口部（２７）を有する外ケース（２８）を設けてある。前記外円寄り（７矢印）に配置した第２ハウジング（３）を外ケース（２８）の内側に一体的に設けてある。塵埃が付着した第１ブラシ（２）を外ケース（２８）内に開口部（２７）から挿入して第１ハウジング（１）（１Ａ）と係合し、外ケース（２８）内で回動させることにより、第１ブラシ（２）の立毛群（１１）に当接する第２ブラシ（４）の立毛群（１５）により第１ブラシ（２）に付着した塵埃を除去し、除去した塵埃を外ケース（２８）内に集塵し、開口部（２７）より塵埃の取り出しができる。
【００３７】
次に、本発明の一実施形態である、実施例１０である、組合せブラシ（２０ｋ）について記す。実施例１０である、組合せブラシ（２０ｋ）は、実施例１である、組合せブラシ（２０）にて次のようにしてある。図１９〜２０にて、開口部（２７ｋ）を有する外ケース（２８ｋ）を設けてある。前記外円寄り（７矢印）に配置した第１ハウジング（１）（１Ａ）を外ケース（２８ｋ）の内側に一体的に設けてある。また、特に図示していないが、前記第２ブラシ（４）において、取っ手を設けた。塵埃が付着した第１ブラシ（２）を外ケース（２８ｋ）内に開口部（２７ｋ）から挿入して第１ハウジング（１）（１Ａ）と係合し、外ケース（２８ｋ）内で回動させることにより、第１ブラシ（２）の立毛群（１１）に当接する第２ブラシ（４）の立毛群（１５）により第１ブラシ（２）に付着した塵埃を除去し、除去した塵埃を外ケース（２８ｋ）内に集塵し、開口部（２７ｋ）より塵埃の取り出しができる。実施例９である、組合せブラシ（２０ｊ）および実施例１０である、組合せブラシ（２０ｋ）によれば、外ケースを設けることにより、効果として、除去した塵埃が外へ散乱することがなく、よって、散乱して塵埃が目等に入ることがなく安全性が増し、また、除去した塵埃を集塵することが可能となり、塵埃の処理が容易となる。また、次のようにしてもよい。実施例９である、組合せブラシ（２０ｊ）、あるいは、実施例１０である、組合せブラシ（２０ｋ）について、前記係合、に代えて、勘合、としてもよい。
【００３８】
また、次のようにしてもよい。特に図示しないが、実施例アである、組合せブラシ（２０ｖ）は、次のようにしてもよい。外ケースを設けてもよい。詳細に記すと次のようになる。開口部を有する外ケースを設けてある。前記外円寄りに配置した第２ハウジングを外ケースの内円側に一体的に設けてある。塵埃が付着した第１ブラシを外ケース内に開口部から挿入して第１ハウジングと勘合し、外ケース内で回動させることにより、第１ブラシの立毛群に当接する第２ブラシの立毛群により第１ブラシに付着した塵埃を除去し、除去した塵埃を外ケース内に集塵し、開口部より塵埃の取り出しができる。
【００３９】
次に、本発明の一実施形態である、実施例１１である、組合せブラシ（２０ｎ）について記す。実施例１１である、組合せブラシ（２０ｎ）は、実施例５である、組合せブラシ（２０ｄ）にて次のようにしてある。図２１にて、基台（９ｎ）の内部は空洞（３６）にしてある。つまり、基台（９ｎ）の内部は塵埃を貯留する空洞（３６）に形成してある。言い換えると、集塵室を形成し設けてある。略半円形状の略筒状に集塵室を形成し設けてもよい。また、実施例１１である、組合せブラシ（２０ｎ）において、実施例９である、組合せブラシ（２０ｊ）の外ケース（２８）、あるいは、実施例１０である、組合せブラシ（２０ｋ）の外ケース（２８ｋ）を設ける。効果として、第１ブラシの立毛群に当接する第２ブラシの立毛群により第１ブラシに付着した塵埃を除去し、除去した塵埃を外ケース内に集塵する際に、空洞（３６）にした基台（９ｎ）の内部に集塵することができる。また、空洞（３６）を形成することにより、集める塵埃の容量を増加することができるので、開口部より毎回、塵埃を取り除く必要性が少なくなる。
【００４０】
次に、本発明の一実施形態である、実施例１２である、組合せブラシ（２０ｑ）について記す。実施例１２である、組合せブラシ（２０ｑ）は、実施例２である、組合せブラシ（２０ａ）にて次のようにしてある。図２２にて、第２ブラシ（４ａ）の基台の外円側に立毛群（１５Ａ）を配置してある。第２ブラシ（４ａ）の基台の外円側に設けた前記形状の立毛群（１５Ａ）を配置してある。つまり、立毛群（１５ａ）（１５Ａ）を配置してある。２箇所配置してある。
【００４１】
また、次のようにしてもよい。次に、本発明の一実施形態である、実施例１３である、組合せブラシ（２０ｔ）について記す。実施例１３である、組合せブラシ（２０ｔ）は、実施例９である、組合せブラシ（２０ｊ）にて次のようにしてある。実施例９である、組合せブラシ（２０ｊ）にて、図１６〜１７で、開口部（２７）を有する外ケース（２８）を設け、前記外円寄り（７矢印）に配置した第２ハウジング（３）を外ケース（２８）の内側に一体的に設け、塵埃が付着した第１ブラシ（２）を外ケース（２８）内に開口部（２７）から挿入して第１ハウジング（１）（１Ａ）と係合し、外ケース（２８）内で回動させることにより、第１ブラシ（２）の立毛群（１１）に当接する第２ブラシ（４）の立毛群（１５）により第１ブラシ（２）に付着した塵埃を除去し、除去した塵埃を外ケース（２８）内に集塵し、開口部（２７）より塵埃の取り出しができる、に代えて、次のようにしてある。実施例１３である、組合せブラシ（２０ｔ）は、図１６〜１７にて、第１開口部（４６）および第２開口部（２９）を有する外ケース（２８）を設け、前記外円寄り（７矢印）に配置した第２ハウジング（３）を外ケース（２８）の内側に一体的に設け、塵埃が付着した第１ブラシ（２）を外ケース（２８）内に第１開口部（４６）から挿入して第１ハウジング（１）（１Ａ）と係合し、外ケース（２８）内で回動させることにより、第１ブラシ（２）の立毛群に当接する第２ブラシ（４）の立毛群（１５）により第１ブラシ（２）に付着した塵埃を除去し、除去した塵埃を外ケース（２８）内に集塵し、第２開口部（２９）より塵埃の取り出しができる、としてある。また、次のようにしてある。第２開口部（２９）に蓋（３０）を設ける。また、開閉可能に第２開口部（２９）に設けた蓋（３０）を外ケース（２８）との係合により閉鎖可能に設ける。
【００４２】
また、次のようにしてもよい。次に、本発明の一実施形態である、実施例１４である、組合せブラシ（２０ｕ）について記す。実施例１４である、組合せブラシ（２０ｕ）は、実施例１０である、組合せブラシ（２０ｋ）にて次のようにしてある。実施例１０である、組合せブラシ（２０ｋ）にて、図１９〜２０で、開口部（２７ｋ）を有する外ケース（２８ｋ）を設け、前記外円寄り（７矢印）に配置した第１ハウジング（１）（１Ａ）を外ケース（２８ｋ）の内側に一体的に設け、塵埃が付着した第１ブラシ（２）を外ケース（２８ｋ）内に開口部（２７ｋ）から挿入して第１ハウジング（１）（１Ａ）と係合し、外ケース（２８ｋ）内で回動させることにより、第１ブラシ（２）の立毛群（１１）に当接する第２ブラシ（４）の立毛群（１５）により第１ブラシ（２）に付着した塵埃を除去し、除去した塵埃を外ケース（２８ｋ）内に集塵し、開口部（２７ｋ）より塵埃の取り出しができる、に代えて、次のようにしてある。実施例１４である、組合せブラシ（２０ｕ）は、図１９〜２０にて、第１開口部（４６ｋ）および第２開口部（２９ｋ）を有する外ケース（２８ｋ）を設け、前記外円寄り（７矢印）に配置した第１ハウジング（１）（１Ａ）を外ケース（２８ｋ）の内側に一体的に設け、塵埃が付着した第１ブラシ（２）を外ケース（２８ｋ）内に第１開口部（４６ｋ）から挿入して第１ハウジング（１）（１Ａ）と係合し、外ケース（２８ｋ）内で回動させることにより、第１ブラシ（２）の立毛群に当接する第２ブラシ（４）の立毛群（１５）により第１ブラシ（２）に付着した塵埃を除去し、除去した塵埃を外ケース（２８ｋ）内に集塵し、第２開口部（２９ｋ）より塵埃の取り出しができる、としてある。また、次のようにしてある。第２開口部（２９ｋ）に蓋（３０ｋ）を設ける。また、開閉可能に第２開口部（２９ｋ）に設けた蓋（３０ｋ）を外ケース（２８ｋ）との係合により閉鎖可能に設ける。
【００４３】
また、次のようにしてもよい。次に、本発明の一実施形態である、実施例１５である、組合せブラシ（２０ｗ）について記す。実施例１５である、組合せブラシ（２０ｗ）は、実施例１である、組合せブラシ（２０）にて次のようにしてある。図２７〜２８にて、第１ハウジング（１ｗ）（１Ａｗ）に係合雄部（３３ｗ）を挿入して組み立てて一体的に設けてある。また、同様に次のようにしてもよい。次に、本発明の一実施形態である、実施例１６である、組合せブラシ（２０ｘ）について記す。実施例１６である、組合せブラシ（２０ｘ）は、実施例１である、組合せブラシ（２０）にて次のようにしてある。図２９〜３０にて、第１ブラシ（２ｘ）に係合雌部（３４ｘ）を挿入して組み立てて一体的に設けてある。つまり、第１ブラシ（２ｘ）の基台（９ｘ）に係合雌部（３４ｘ）を挿入して組み立てて一体的に設けてある。
【００４４】
また、次のようにしてもよい。特に図示しないが、実施例アである、組合せブラシ（２０ｖ）について、次のようにしてもよい。第１ハウジング（１ｖ）（１Ａｖ）と第１ブラシ（２ｖ）とを勘合可能に設け、について、第１ハウジング（１ｖ）（１Ａｖ）に配置した案内凹部と第１ブラシ（２ｖ）に配置した案内凸部とを勘合可能に設け、としてもよい。つまり、案内凸部と案内凹部を逆に設ける。言い換えると、第１ハウジング（１ｖ）（１Ａｖ）に案内凹部を設ける。第１ブラシ（２ｖ）に案内凸部を設ける。つまり、第１ブラシ（２ｖ）の基台（９ｖ）に案内凸部を設ける。該案内凹部と該案内凸部とを勘合可能に設ける、としてもよい。また、実施例アである、組合せブラシ（２０ｖ）については、案内凹部（３２ｖ）（３２Ａｖ）をレール状に両端に設けてあるが、中心部に１本にして軸状にしてもよい。あるいは、穴状としてもよい。また、該案内凹部と該案内凸部について、弾力性のある材質を使用して、勘合時に相互に圧迫しあうように設けてもよい。
【００４５】
また、次のようにしてもよい。特に図示しないが、実施例１である、組合せブラシ（２０）について、次のようにしてもよい。係合雄部と係合雌部とを逆に設けてもよい。第１ハウジング（１）（１Ａ）と第１ブラシ（２）とを係合可能に設け、について、第１ハウジング（１）（１Ａ）に配置した係合雌部と第１ブラシ（２）に配置した係合雄部とを係合可能に設け、としてもよい。言い換えると、第１ハウジング（１）（１Ａ）に係合雌部を設ける。第１ブラシ（２）に係合雄部を設ける。つまり、第１ブラシ（２）の基台（９）に係合雄部を設ける。係合雌部と係合雄部とを係合可能に設ける、としてもよい。
【００４６】
また、次のようにしてもよい。特に図示しないが、実施例１である、組合せブラシ（２０）について、第１ハウジング（１）（１Ａ）または第２ハウジング（３）の回動を制限するストッパー等を設ける。
【００４７】
また、次のようにしてもよい。特に図示しないが、実施例１である、組合せブラシ（２０）について、塵埃が付着した第１ブラシ（２）を第１ハウジング（１）（１Ａ）の上方から挿入するよう設けてあるが、第１ハウジング（１）（１Ａ）の横、サイドから挿入するように設けてもよい。また、同様に次のようにしてもよい。特に図示しないが、実施例２である、組合せブラシ（２０ａ）について、塵埃が付着した第１ブラシ（２ａ）を第１ハウジング（１ａ）（１Ａａ）の横、サイドから挿入するように設けてもよい。
【００４８】
また、次のようにしてもよい。特に図示しないが、実施例１である、組合せブラシ（２０）について、傾斜した立毛群を設けてもよい。第１ブラシ（２）の立毛群（１１）と第２ブラシ（４）の立毛群（１５）を互いに離れる方向に傾斜して設けてもよい。あるいは、第１ブラシ（２）の立毛群（１１）と第２ブラシ（４）の立毛群（１５）を伏倒してもよい。どちらか片側のみとしてもよい。同様に次のようにしてもよい。実施例２である、組合せブラシ（２０ａ）について、傾斜した立毛群を設けてもよい。第１ブラシ（２ａ）の立毛群（１１ａ）と第２ブラシ（４ａ）の立毛群（１５ａ）を互いに離れる方向に傾斜して設けてもよい。あるいは、第１ブラシ（２ａ）の立毛群（１１ａ）と第２ブラシ（４ａ）の立毛群（１５ａ）を伏倒してもよい。どちらか片側のみとしてもよい。また、次のようにしてもよい。特に図示しないが、第２ハウジングと第２ブラシとを一体的に設ける際について、第２ブラシを別の箇所に複数設けてもよい。
【００４９】
また、次のようにしてもよい。特に図示しないが、実施例１である、組合せブラシ（２０）について、第１ブラシは基台と柄部からなる。第１ハウジングと第１ブラシの基台を係合可能に設ける。あるいは、第１ブラシの柄と第１ハウジングとを係合可能に設ける。
【００５０】
次に、組合せブラシの各部同士の組み立て方法について記す。本発明の一実施形態である、実施例１である、組合せブラシ（２０）について記す。図６にて、第１ハウジング（１）（１Ａ）の下部に雄ねじ部（３７）を設けてある。台座（３８）に雌ねじ部（３９）を設けてある。雌ねじ部（３９）に雄ねじ部（３７）を嵌め込んで固定するようにしてある。第２ハウジング（３）にリング部（４０）を設けてある。リング部（４０）に雄ねじ部（３７）を通して、雄ねじ部（３７）と雌ねじ部（３９）の間にリング部（４０）を回動するよう設けてある。次に、本発明の一実施形態である、実施例２である、組合せブラシ（２０ａ）について記す。図１１にて、第２ハウジング（３ａ）の下部に雄ねじ部（３７ａ）を設けてある。リング（４１）に雌ねじ部（３９ａ）を設けてある。雌ねじ部（３９ａ）に雄ねじ部（３７ａ）を嵌め込んで固定するようにしてある。第１ハウジング（１ａ）（１Ａａ）にリング部（４０ａ）を設けてある。リング部（４０ａ）に雄ねじ部（３７ａ）を通して、雄ねじ部（３７ａ）と雌ねじ部（３９ａ）の間にリング部（４０ａ）を回動するよう設けてある。次に、本発明の一実施形態である、実施例１３である、組合せブラシ（２０ｔ）について記す。図２３にて、雄部（４２）を設けてある。第１ハウジング（１ｔ）（１Ａｔ）の下部にリング部（４３）を設けてある。台座（３８ｔ）に雌部（４５）を設けてある。第２ハウジング（３ｔ）にリング部（４４）を設けてある。雄部（４２）に雌部（４５）を嵌め込んで固定するようにしてある。リング部（４３）（４４）に雄部（４２）を通して、雄部（４２）と雌部（４５）の間にリング部（４３）（４４）を各々回動するよう設けてある。
【００５１】
また、次のようにしてもよい。特に図示しないが、実施例９である、組合せブラシ（２０ｊ）について、開口部（２７）に蓋を設ける。また、開閉可能に開口部（２７）に設けた蓋を外ケース（２８）との係合により閉鎖可能に設ける。同様に、実施例１０である、組合せブラシ（２０ｋ）について、開口部（２７ｋ）に蓋を設ける。また、開閉可能に開口部（２７ｋ）に設けた蓋を外ケース（２８ｋ）との係合により閉鎖可能に設ける。また、次のようにしてもよい。特に図示しないが、実施例１３である、組合せブラシ（２０ｔ）、実施例１４である、組合せブラシ（２０ｕ）について、第２開口部の反対の側面に第３開口部を設ける。つまり、左右両側に開口部を設ける。さらに、第３開口部にも蓋を設ける。また、開閉可能に第３開口部に設けた蓋を外ケースとの係合により閉鎖可能に設けてもよい。
【００５２】
また、次のようにしてもよい。実施例アである、組合せブラシ（２０ｖ）について、次のようにしてもよい。第１ハウジング（１ｖ）（１Ａｖ）および第２ハウジング（３ｖ）を同一の中心点（４７ｖ）にて回動可能に設け、に代えて、第１ハウジング（１ｖ）（１Ａｖ）および第２ハウジング（３ｖ）を同一の軸上にて回動可能に設け、としてもよい。あるいは、第１ハウジング（１ｖ）（１Ａｖ）および第２ハウジング（３ｖ）を同一の中心点（４７ｖ）にて回動可能に設け、に代えて、第１ハウジング（１ｖ）（１Ａｖ）および第２ハウジング（３ｖ）を同一の軸の中心点にて回動可能に設け、としてもよい。また、同様に次のようにしてもよい。実施例１である、組合せブラシ（２０）について、次のようにしてもよい。図１にて、第１ハウジング（１）（１Ａ）および第２ハウジング（３）を同一の中心点（４７）にて回動可能に設け、に代えて、第１ハウジング（１）（１Ａ）および第２ハウジング（３）を同一の軸上にて回動可能に設け、としてもよい。あるいは、第１ハウジング（１）（１Ａ）および第２ハウジング（３）を同一の中心点（４７）にて回動可能に設け、に代えて、第１ハウジング（１）（１Ａ）および第２ハウジング（３）を同一の軸の中心点にて回動可能に設け、としてもよい。また、次のようにしてもよい。実施例アである、組合せブラシ（２０ｖ）について、第１ハウジング（１ｖ）（１Ａｖ）および第２ハウジング（３ｖ）を同一の中心点（４７ｖ）にて回動可能に設け、に代えて、第１ハウジングを第２ハウジングが回動可能に支持し設け、としてもよい。同様に、第２ハウジングを第１ハウジングが回動可能に支持し設け、としてもよい。また、第１ハウジング（１ｖ）（１Ａｖ）および第２ハウジング（３ｖ）を同一の中心点（４７ｖ）にて回動可能に設け、に代えて、第１ハウジング（１ｖ）（１Ａｖ）および第２ハウジング（３ｖ）を同一の中心点（４７ｖ）にて各々毎に回動可能に設け、としてもよい。
【００５３】
また、次のようにしてもよい。特に図示しないが、実施例アである、組合せブラシ（２０ｖ）について、次のようにしてもよい。第１ブラシ（２ｖ）の立毛群（１１ｖ）と第２ブラシ（４ｖ）の立毛群（１５ｖ）とを当接可能に配置し、に代えて、第１ブラシ（２ｖ）の立毛群（１１ｖ）と第２ブラシ（４ｖ）の立毛群（１５ｖ）とを回動にて当接可能に配置し、としてもよい。また、特に図示しないが、実施例１である、組合せブラシ（２０）、実施例２である、組合せブラシ（２０ａ）、実施例５である、組合せブラシ（２０ｄ）について、同じようにしてもよい。また、次のようにしてもよい。実施例１である、組合せブラシ（２０）について、第１ブラシ（２）の立毛群（１１）と第２ブラシ（４）の立毛群（１５）とを当接可能に配置し、に代えて、第１ブラシ（２）の立毛群（１１）と第２ブラシ（４）の立毛群（１５）とを接触可能に配置し、としてもよい。次のようにしてもよい。第１ブラシ（２）の立毛群（１１）と第２ブラシ（４）の立毛群（１５）とを当接可能に配置し、に代えて、第１ブラシ（２）の立毛群（１１）と第２ブラシ（４）の立毛群（１５）とを接触可能に対面して配置し、としてもよい。あるいは、次のようにしてもよい。第１ブラシ（２）の立毛群（１１）と第２ブラシ（４）の立毛群（１５）とを当接可能に配置し、に代えて、第１ブラシ（２）の立毛群（１１）と第２ブラシ（４）の立毛群（１５）とを回動にて接触可能に配置し、としてもよい。第１ブラシ（２）の立毛群（１１）と第２ブラシ（４）の立毛群（１５）とを当接可能に配置し、に代えて、第１ブラシ（２）の立毛群（１１）と第２ブラシ（４）の立毛群（１５）とを回動にて接触可能に対面して配置し、としてもよい。
【００５４】
また、次のようにしてもよい。例えば、実施例１の組合せブラシにおいて、第１ハウジングと第１ブラシとを係合可能に設け、に代えて、第１ハウジングの一端と第１ブラシとを係合可能に設け、としてもよい。同様に、実施例１の組合せブラシにおいて、第２ハウジングと第２ブラシとを一体的に設け、に代えて、第２ハウジングの一端と第２ブラシとを一体的に設け、としてもよい。また、次のようにしてもよい。実施例１である、組合せブラシ（２０）において、第１ハウジング（１）（１Ａ）と第１ブラシ（２）とを係合可能に設け、に代えて、第１ハウジング（１）（１Ａ）と第１ブラシ（２）とを係止可能に設け、としてもよい。
【００５５】
また、次のようにしてもよい。特に図示しないが、実施例１である、組合せブラシ（２０）について、第１ハウジングと第１ブラシとを係合可能に設け、に代えて、第１ハウジングと第１ブラシに永久磁石を各々面対向に配置して着脱可能に設け、としてもよい。また、次のようにしてもよい。各々の実施例の組合せブラシにおいて、髪用ブラシとして利用してもよい。また、歯ブラシとして利用してもよい。また、各々の実施例の組合せブラシにおいて、次のようにしてもよい。ブリッスルの材質として、ナイロン、ポリエステル等の合成樹脂があげられるが、直線性能が比較的高い又は屈曲回復性が低くない他の材料を選択してもよい。パイルの材質として、レーヨン、ナイロン、ポリエステル、アクリル等の合成樹脂があげられるが、他の材料を選択してもよい。パイルの長さとして０．２〜５０ｍｍ程度が考えられるが特に限定するものではない。また、実施例３である、組合せブラシ（２０ｂ）について、次のようにしてもよい。第２ブラシ（４ｂ）を第１ブラシ（２ｂ）に押圧するバネ（１７）（１７Ａ）について、バネの材質として、合成樹脂、金属、ゴム等があげられるが他の材料を選択してもよい。コイルバネ、板バネとしてもよい。また、第２ブラシ（４ｂ）を第１ブラシ（２ｂ）に押圧するバネ（１７）（１７Ａ）、に代えて、第２ブラシ（４ｂ）を第１ブラシ（２ｂ）に押圧する弾性体、としてもよい。
【実施例】
【００５６】
次に、本発明の実施例を示す。表１は、本発明の一実施形態である、実施例６である、組合せブラシ（２０ｅ）の測定結果を示す。第１ブラシは市販のヘアブラシを利用した。第１ブラシの基台は、材質が合成樹脂系、長手方向の長さ７８ｍｍ、短手方向の長さ１３ｍｍのものを使用した。第１ブラシの立毛は、材質が合成樹脂系、長さ１５ｍｍ、直径１．１ｍｍのものを立毛間の隙間長さを４．５ｍｍとして、１列目２本と２列目３本とを平行に並べたものを１組として１５組計７５本を縦長に設けてあるものを使用した。第２ブラシは市販の清掃用ブラシを利用した。第２ブラシの基台は、材質、長手方向の長さ、短手方向の長さが第１ブラシの基台と同程度のものを使用した。第２ブラシの立毛は、材質が合成樹脂系、長さ２５ｍｍのものを、１ｍｍ２当り１．５本設けてあるものを使用した。試験は、塵埃、髪の毛が付着した第１ブラシを第１ハウジングに係合した状態にて、第２ハウジングに一体的に設けた第２ブラシを回動させて、その除去する度合を確認した。回動する角度は９０度程度として、回動する速度は角度９０度当たり１５秒程度とした。９０度の回動について、１往路と１復路を合計して１往復と定めた。試験１回当たりの回動する往復の数は３往復とした。付着している塵埃の大きさを大、中、小に分類し、全長が３ｍｍを超えるものを大、３ｍｍ以下を中、１ｍｍ以下を小とした。塵埃、髪の毛ともにすべてが立毛の根元、基台側に付着している第１ブラシを使用した。表の測定結果より次のことがいえる。試験の測定結果より、塵埃が大のものは９往復以下、髪の毛は３往復以下ですべて除去された。また、９往復以下において、塵埃が中、小のものは半数以上が除去された。以上から、本実施例により発生する効果は、次の通りである。接触した第１ブラシと第２ブラシにより、第１ブラシに付着した塵埃等を除去することができる。また、当該試験結果に限定するものではなく、第２ブラシの立毛の先端と第１ブラシの基台との接触角度、第１ブラシと第２ブラシの各々の立毛の数の対応関係、立毛の位置等により、一層の塵埃等の除去も可能である。
【００５７】
【表１】
2011092603.tif 000003
【図面の簡単な説明】
【００５８】
【図１】実施例１、４の斜視図。
【図２】実施例１、４の斜視図。
【図３】実施例１、４の斜視図。
【図４】第１ブラシを取り外している実施例１、４の縮小斜視図。
【図５】第１ブラシと第１ハウジングの係合直前の実施例１、４の縮小斜視図。
【図６】実施例１、４の分解図。
【図７】係合前の実施例１等の部分拡大斜視図。
【図８】係合後の実施例１等の部分拡大斜視図。
【図９】実施例２の斜視図。
【図１０】実施例２の斜視図。
【図１１】実施例２の分解図。
【図１２】実施例３の斜視図。
【図１３】実施例３の分解図。
【図１４】実施例５の斜視図。
【図１５】実施例６の一部分解図。
【図１６】実施例７、９、１３の斜視図。
【図１７】実施例７、９、１３の一部分解図。
【図１８】実施例８の一部分解図。
【図１９】実施例１０、１４の斜視図。
【図２０】実施例１０、１４の一部分解図。
【図２１】実施例１１の一部分解図。
【図２２】実施例１２の斜視図。
【図２３】組立例の分解図。
【図２４】実施例アの斜視図。
【図２５】第１ブラシを取り外している実施例アの縮小斜視図。
【図２６】第１ブラシと第１ハウジングの係合直前の実施例アの縮小斜視図。
【図２７】第１ハウジングに係合雄部を設けた実施例１５の斜視図。
【図２８】第１ハウジングに係合雄部を設ける前の実施例１５の斜視図。
【図２９】第１ブラシに係合雌部を設けた実施例１６の斜視図。
【図３０】第１ブラシに係合雌部を設ける前の実施例１６の斜視図。
【図３１】実施例アの分解図。
【００５９】
（１）        第１ハウジング
（２）        第１ブラシ
（３）        第２ハウジング
（４）        第２ブラシ
（５）        円
（６矢印）    内円寄り
（７矢印）    外円寄り
（８）        略半円形状
（９）        基台
（１０）      外円側
（１１）      立毛群
（１２）      略半円形状
（１３）      基台
（１４）      内円側
（１５）      立毛群
（１６）      内円側
（１７）      バネ
（１８）      外円側
（１９）      パイル群
（２０）      組合せブラシ、実施例１
（２０ａ）    組合せブラシ、実施例２
（２０ｂ）    組合せブラシ、実施例３
（２０ｃ）    組合せブラシ、実施例４
（２０ｄ）    組合せブラシ、実施例５
（２０ｅ）    組合せブラシ、実施例６
（２０ｆ）    組合せブラシ、実施例７
（２０ｈ）    組合せブラシ、実施例８
（２０ｊ）    組合せブラシ、実施例９
（２０ｋ）    組合せブラシ、実施例１０
（２０ｎ）    組合せブラシ、実施例１１
（２０ｑ）    組合せブラシ、実施例１２
（２０ｔ）    組合せブラシ、実施例１３
（２０ｕ）    組合せブラシ、実施例１４
（２０ｖ）    組合せブラシ、実施例ア
（２０ｗ）    組合せブラシ、実施例１５
（２０ｘ）    組合せブラシ、実施例１６
（２１）      パイル群
（２２）      スポンジ
（２３）      ブリッスル群
（２４）      ブリッスル群
（２５）      取っ手
（２６）      取っ手
（２７）      開口部
（２８）      外ケース
（２９）      第２開口部
（３０）      蓋
（３１）      案内凸部
（３２）      案内凹部
（３３）      係合雄部
（３４）      係合雌部
（３５）      押圧部
（３６）      空洞
（３７）      雄ねじ部
（３８）      台座
（３９）      雌ねじ部
（４０）      リング部
（４１）      リング
（４２）      雄部
（４３）      リング部
（４４）      リング部
（４５）      雌部
（４６）      第１開口部
（４７）      中心点
（４８）      軸
（矢印Ｒ）    時計回り  
（矢印Ｓ）    時計回り
【図１】
2011092603.tif 000004
【図２】
2011092603.tif 000005
【図３】
2011092603.tif 000006
【図４】
2011092603.tif 000007
【図５】
2011092603.tif 000008
【図６】
2011092603.tif 000009
【図７】
2011092603.tif 000010
【図８】
2011092603.tif 000011
【図９】
2011092603.tif 000012
【図１０】
2011092603.tif 000013
【図１１】
2011092603.tif 000014
【図１２】
2011092603.tif 000015
【図１３】
2011092603.tif 000016
【図１４】
2011092603.tif 000017
【図１５】
2011092603.tif 000018
【図１６】
2011092603.tif 000019
【図１７】
2011092603.tif 000020
【図１８】
2011092603.tif 000021
【図１９】
2011092603.tif 000022
【図２０】
2011092603.tif 000023
【図２１】
2011092603.tif 000024
【図２２】
2011092603.tif 000025
【図２３】
2011092603.tif 000026
【図２４】
2011092603.tif 000027
【図２５】
2011092603.tif 000028
【図２６】
2011092603.tif 000029
【図２７】
2011092603.tif 000030
【図２８】
2011092603.tif 000031
【図２９】
2011092603.tif 000032
【図３０】
2011092603.tif 000033
【図３１】
2011092603.tif 000034